【事件の表示】
　特願２０１３−１３９９９４「車載器、及びスプーフィング検知方法」拒絶査定不服審判事件〔平成２７年　１月２２日出願公開、特開２０１５−　１４４７４、請求項の数（６）〕について、次のとおり審決する。
【結　論】
　原査定を取り消す。
　本願の発明は、特許すべきものとする。
【理　由】
第１　手続の経緯
　本願は、平成２５年７月３日の出願であって、平成２９年７月１２日付けで拒絶理由通知がされ、平成２９年９月１９日付けで意見書が提出され、平成２９年１１月６日付けで拒絶査定（原査定）がされ、これに対し、平成３０年２月６日に拒絶査定不服審判が請求されると同時に手続補正がされ、平成３０年１０月１７日付けで拒絶理由（以下、「当審拒絶理由」という。）が通知され、平成３０年１２月７日付けで手続補正がされたものである。
第２　原査定の概要
　原査定（平成２９年１１月６日付け拒絶査定）の概要は次のとおりである。
（理由１）
　本願請求項１、４に係る発明は、以下の引用文献１に記載された発明であるから、特許法第２９条第１項第３号に該当し、特許を受けることができない。
（理由２）
　本願請求項１−６に係る発明は、以下の引用文献１−３に記載された発明に基いて、その発明の属する技術の分野における通常の知識を有する者（以下、「当業者」という。）が容易に発明できたものであるから、特許法第２９条第２項の規定により特許を受けることができない。
引用文献等一覧
１.特開２００６−３０４１９３号公報
２.特開２００９−３８５８６号公報（周知技術を示す文献）
３.特開２００２−３１８２７６号公報（周知技術を示す文献）
第３　当審拒絶理由の概要
　当審拒絶理由の概要は、次のとおりである。
　本願請求項１−６に係る発明は、以下の引用文献ａ、ｂに基いて、当業者が容易に発明できたものであるから、特許法第２９条第２項の規定により特許を受けることができない。 
  
引用文献等一覧
ａ．欧州特許出願公開第２３３３５８２号明細書（当審において新たに引用した文献） 
ｂ．特開２００９−３８５８６号公報（原査定時の引用文献２） 
  
第４　本願発明
　本願請求項１−６に係る発明（以下、それぞれ「本願発明１」−「本願発明６」という。）は、平成３０年１２月７日付けの手続補正で補正された特許請求の範囲の請求項１−６に記載された事項により特定される発明であり、本願発明１、４は以下のとおりの発明である。
「【請求項１】
　人工衛星から受信した衛星信号に基づいて測位を行い、現在時刻を示す第１時刻情報を出力する衛星情報取得部と、
　前記第１時刻情報に示される時刻に同期し、現在時刻を示す第３時刻情報を出力するクロック部と、
　前記衛星信号とは異なる無線信号に含まれる第２時刻情報を取得し、前記第３時刻情報に示される時刻と、前記第２時刻情報に示される時刻との差が閾値以上の場合にスプーフィングが発生したと判定する処理部と
　を具備する車載器。」
「【請求項４】
　人工衛星から受信した衛星信号に基づいて測位を行い、現在時刻を示す第１時刻情報を出力する工程と、
　現在時刻を示す第３時刻情報を出力するクロック部を前記第１時刻情報に示される時刻に同期させる工程と、
　前記衛星信号とは異なる無線信号に含まれる第２時刻情報を取得する工程と、
　前記第３時刻情報に示される時刻と、前記第２時刻情報に示される時刻との差が閾値以上の場合にスプーフィングが発生したと判定する工程と
　を具備する車載器のスプーフィング検知方法。」
　本願発明２−３は、本願発明１を減縮した発明である。
　本願発明５−６は、本願発明４を減縮した発明である。
第５　引用文献、引用発明等
１．引用文献ａについて
　当審拒絶理由に引用された引用文献ａには、図面とともに次の事項が記載されている（なお、引用文献ａは原文が外国語であるため、当審による翻訳文で示す。また、下線は当審が付与した。）。
「説明 
 [0001] 本発明は、モバイル装置からの位置情報の送信における不正検出方法に関する。これは、特に、高速道路及び都市道路ETCシステムの分野、その他のロケーションベースの支払い装置に適用される。」 
  
「[0003]　衛星測位システムは、高速道路及び都市道路におけるETCの実施に適している。しかし、配信される位置情報の信頼性は、車両に搭載されたGNSS受信機により送信される情報のみに依存し、位置サーバにより実行される課金の信頼性は、この位置情報に直接依存する。位置確定装置により位置サーバに返される位置情報の妥当性を損なう可能性がある測位誤差の多数の原因が存在する。測位誤差は、例えば、受信機の障害又は使用された衛星コンステレーションによって送信された情報の障害の様な、GNSS信号の受信に関する技術問題に起因する。この誤差は、税金を逃れ車両が実際に位置する場所と異なる場所に対応する情報を送信する等の、車両所有者による虚偽（ルアー）の意図的使用からも起因する。ルアーは、例えば、税金の対象とならない事前定義された軌跡プログラミング又は
GNSS不正信号の発生器を使用する
  
「[0005] 本発明の目的は、これらの問題を解決し、既知の解決策の欠点を持たないモバイル装置による位置情報の送信における不正検出方法を提案する事であり、あらゆる状況において位置情報を効果的に検証できる。それらは、モバイル装置の座標を推定する事ができる測定又は座標の形式で表される。 
  
 1．この様に、本発明は、モバイル装置からの位置情報の送信による不正検出方法に関し、これらの位置情報は、
衛星コンステレーションによって送信された
ナビゲーション信号の受信から取得された各位置情報に対し、セルラーネットワークから送信された通信信号を取得し、受信されたナビゲーション信号に含まれる時間情報、及び受信された通信信号に含まれる時間情報を比較し、位置情報が正確であるか誤っているかを推測する事から成り、
 [0006]　有利な事に、ナビゲーション信号及び通信に含まれる時間比較情報は、ナビゲーション信号の送受信時点の分離差と、通信信号の送受信時点の分離差との間の差の絶対値の計算をする。 
  
 [0007]　また有利な事に、この方法は、異なる信号の最大伝搬時間の予測を考慮して閾値を選択し、
比較結果が、位置情報を有効とするための閾値未満であるかどうかを確認する。
  
 [0008] 有利な事に、この方法は、同じ測定時点から成る、複数の異なる衛星からのナビゲーション信号からモバイル装置の複数の位置情報を取得する。受信された各ナビゲーション信号に含まれる時間情報を、受信された通信信号に含まれる時間情報と比較する。そして、取得された各情報について、閾値比較の結果が正当である場合、モバイル装置の位置を有効とする。 
  
 [0009]　また有利な事に、この
方法
位置情報が誤っている場合に不正があると判断する
「[0011]　図1は、衛星による、例えば車両であるモバイル装置1の位置確定システムの一例を表す。位置確定システムは、
車両1に搭載された
位置確定及び放送装置2
位置確定及び放送装置2は、
GNSS
受信機4、及び、
セルラーネットワークによる通信モバイルの送信機―受信機6を備え
位置情報は、衛星5a、5bにより送信された信号13a及び13bを利用して、GNSS受信機4で計算され
空間x、y、zにおける車両の位置及び時間tの4つの座標を決定する
「 [0013]　図3の概略図は、位置情報の送信に関する不正検出方法の異なる工程を表す。この方法は、放送及び位置確定装置2における、受信機4で受信されたナビゲーション信号に含まれる時間情報と、通信の送受信機6で受信された通信信号に含まれる時間情報との比較から、GNSSナビゲーション信号受信機4により実行された測定と車両に従う実際の軌跡との間の不整合を、モバイル装置で検出する事から成る。 
  
 [0014]実際には、ナビゲーションシステムに属する全ての衛星及びセルラー通信ネットワークは、例えば、ミリ秒単位のUTCタイプ（英語で：協定世界時）の普遍的な絶対時間基準で、互いに同期している。各ナビゲーション受信機、又は通信型受信機に送信する信号で送られる時間は、互いに同期し、絶対時間と見なされる。 
  
 [0015]　放送及び位置確定装置2は、衛星時計に同期していない内部時計を備え、固有の時間尺度を受信機4及び通信型送受信機6に共通に配信し、絶対時間スケールよりも精度が低い。これら2つの受信機4,6に共通する時計により測定される時間は、数ミリ秒から10ミリ秒程度の精度を有する。この精度は、静止軌道衛星の100msから150ms程度であるナビゲーション信号の伝播時間よりも小さい測定誤差であるために十分である。 
  
 [0016]　本発明によると、この方法に含まれる第1工程40では、衛星に送信されたナビゲーション信号30が、モバイル装置1に搭載された、ナビゲーション受信機4によって受信32される。受信機4は、衛星から分離する擬似距離の測定33を実行し、信号の受信を検出した時点Tr、受信した信号中の、衛星によって日付された送信開始時点Tesatを検出する。放送及び位置確定装置2は、衛星によるナビゲーション信号の送信時点Tesatと、受信機4により測定されたナビゲーション信号の受信時点Tr間の差を計算する。この差は、衛星と受信機4間の伝播時間の推定値に対応するが、信号の実際の伝播時間に関してズレを含む。このズレは、衛星の絶対時間尺度と放送及び位置確定装置2の時間尺度との同期差に対応する。伝搬時間の推定値から、放送及び位置確定装置2は、衛星とモバイル装置1の間の擬似距離値を推定する。 
  
 [0017]　同じ工程40において、セルラーネットワークの基地局7aによって送信された通信信号31は、モバイル装置1に搭載された、通信型6の送受信機により受信34される。放送及び位置確定装置2は、基地局によって日付けられた通信信号の送信時点を検出し、通信信号の受信時点を測定し、通信信号の受信時点と送信時点との間の差、デルタコムを計算する。その通信信号の送受信時点の差は、通信信号の伝播時間に、放送及び位置確定装置2の時間尺度とセルラー通信ネットワークの時間尺度との同期差に対応するズレが加わったものに対応する。モバイル装置をセルラーネットワークの基地局7aから分離する距離は、例えば、モバイル装置1と衛星との間の距離、例えば、静止衛星の96000kmに対して、数十キロメートル程度と非常に小さく、通信信号の伝搬時間は、例えば0.1ミリ秒程度で、他の全ての測定時間に対して無視できる。通信信号における送受信時点を分離する差、デルタコムは、セルラー通信ネットワークの時間尺度と放送及び位置確定装置2の時間尺度との間の同期差に実質的に等しい。 
[0018]　この方法は、一方でナビゲーション信号から、他方では、通信信号から得られた伝播時間測定値を比較する工程41を含む。そのために、この方法は、ナビゲーション信号の送受信時点を分離する差、Tr-Tesatと、通信信号の送受信時点を分離する差、デルタコムとの相違を絶対値で計算する事から成る。次に、工程42で、この方法は、2つの差と、以前に選択された閾値とを比較する事から成り、この閾値は、異なる信号の最大伝播時間の推定値と測定誤差の可能性とを考慮して選択される。2つの偏差の差が、閾値未満である場合、ナビゲーション受信機により実行される擬似距離測定は有効43であり、それ以外の場合は無効44である。 
 　
衛星とナビゲーション受信機との間の信号伝播時間
  
 [0019]　モバイル装置1の位置決定は、衛星コンステレーションのいくつかの衛星と比較して、擬似距離のいくつかの測定を必要とし、この方法における様々な工程は、各擬似距離測定値のために繰り返される。
その位置測定は、対応する各擬似距離測定値について、閾値比較の結果が正当である場合にのみ、有効とされる。
　よって、引用文献ａには、次の発明（以下、「引用発明ａ」という。）が記載されているものと認められる。
「車両1に搭載された位置確定及び放送装置2は、GNSS受信機4、及び、セルラーネットワークによる通信モバイルの送信機―受信機6を備え、位置情報は、衛星5a、5bにより送信された信号13a及び13bを利用して、GNSS受信機4で計算され、空間x、y、zにおける車両の位置及び時間tの4つの座標が決定され（段落[0011]より。以下、同様。）、
　衛星コンステレーションによって送信されたナビゲーション信号の受信から取得された各位置情報に対し、セルラーネットワークから送信された通信信号を取得し、受信されたナビゲーション信号に含まれる時間情報、及び受信された通信信号に含まれる時間情報を比較し（[0005]）、比較結果が、位置情報を有効とするための閾値未満であるかどうかを確認し （[0007]）、位置情報が正確であるか誤っているかを推測する事から成り（[0005]）、
  位置情報が誤っている場合に（[0009]）、GNSS不正信号の発生器を使用する（[0003]）不正があると判断する（[0009]）、
　車両1に搭載された位置確定及び放送装置2（[0011]）。」
２．引用文献ｂについて
　当審拒絶理由に引用された引用文献ｂには、次の事項が記載されている。
「【００８４】
  なお、本実施形態では、路側機が、発信する情報を予め記憶しているのか、取得しているのかなどについて詳しく説明していないが、どちらでもよい（例えば、設置位置の情報や
時刻情報は、ＧＰＳ受信機を備えることにより得ることができる。また、時刻情報は、路側機に時計の機能を備えることにより取得することもできるし、外部の時計から取得してもよい。
第６　対比・判断
１．本願発明１について
（１）対比
　本願発明１と引用発明ａとを対比すると、次のことがいえる。
ア　引用発明ａにおける「決定」された「空間x、y、zにおける車両の位置及び時間t」のうちの「時間t」が、本願発明１における「現在時刻を示す第１時刻情報」に相当する。
イ　上記「ア」を踏まえると、引用発明ａにおける「GNSS受信機4」は、「衛星5a、5bにより送信された信号13a及び13bを利用して」「空間x、y、zにおける車両の位置及び時間tの4つの座標」を「決定」しているから、本願発明１における「人工衛星から受信した衛星信号に基づいて測位を行い、現在時刻を示す第１時刻情報を出力する衛星情報取得部」とは、「人工衛星から受信した衛星信号に基づいて測位を行い、現在時刻を示す第１時刻情報を生成する衛星情報取得部」の点で共通する。
ウ　引用発明ａにおける「位置確定及び放送装置2」は、「受信されたナビゲーション信号に含まれる時間情報、及び」、「セルラーネットワークによる通信モバイルの送信機―受信機6」で「受信された通信信号に含まれる時間情報を比較し、比較結果が、位置情報を有効とするための閾値未満であるかどうかを確認し」、「位置情報が誤っている場合に、GNSS不正信号の発生器を使用する不正があると判断」しているから、引用発明ａの「位置確定及び放送装置2」においてかかる比較判断を行う部分と、本願発明１における「前記第１時刻情報に示される時刻に同期し、現在時刻を示す第３時刻情報を出力するクロック部と、前記衛星信号とは異なる無線信号に含まれる第２時刻情報を取得し、前記第３時刻情報に示される時刻と、前記第２時刻情報に示される時刻との差が閾値以上の場合にスプーフィングが発生したと判定する処理部」とは、「前記衛星信号とは異なる無線信号に含まれる第２時刻情報を取得し、衛星信号に基づく時刻と、前記第２時刻情報に示される時刻との差が閾値以上の場合にスプーフィングが発生したと判定する処理部」の点で共通する。
エ　引用発明ａにおける「車両1に搭載された位置確定及び放送装置2」が、本願発明１における「車載器」に相当する。
　よって、本願発明１と引用発明ａとの間には、次の一致点、相違点があるといえる。
（一致点）
「人工衛星から受信した衛星信号に基づいて測位を行い、現在時刻を示す第１時刻情報を生成する衛星情報取得部と、
　前記衛星信号とは異なる無線信号に含まれる第２時刻情報を取得し、衛星信号に基づく時刻と、前記第２時刻情報に示される時刻との差が閾値以上の場合にスプーフィングが発生したと判定する処理部と
　を具備する車載器。」
（相違点１）
　本願発明１では、測位を行い「出力」された「前記第１時刻情報に示される時刻に同期し、現在時刻を示す第３時刻情報を出力するクロック部」を具備し、処理部が「前記第３時刻情報に示される時刻と、前記第２時刻情報に示される時刻との差」が閾値以上の場合にスプーフィングが発生したと判定しているのに対し、引用発明ａでは、GNSS受信機4が計算する「空間x、y、zにおける車両の位置及び時間tの4つの座標」のうち「時間t」（本願発明１における「第１時刻情報」に相当する。）を出力することも、これに同期し、現在時刻を示す第３時刻情報を出力するクロック部を具備することも示されておらず、また、GNSS不正信号の発生器を使用する不正があるとの判断は、（「第１時刻情報」に相当する「時間t」ではなく）「受信されたナビゲーション信号に含まれる時間情報、及び受信された通信信号に含まれる時間情報」の「比較結果」が、閾値未満であるかどうかを確認することで行っている点。
（２）判断
　上記相違点１について検討すると、
ア　本願発明１における「前記第３時刻情報に示される時刻と、前記第２時刻情報に示される時刻との差」とは、要するに、測位の結果として出力される時刻情報（第１時刻情報）と実際の現在時刻（第２時刻情報）との差であるのに対し、引用発明ａにおける「受信されたナビゲーション信号に含まれる時間情報、及び受信された通信信号に含まれる時間情報」の「比較結果」（ＦＩＧ．３の工程41における「ABS(Tr - Tesat - DeltaCom」）とは、「衛星とナビゲーション受信機との間の信号伝播時間」（段落[0018]）である。
イ　つまり、本願発明１では、明細書段落【００２２】に記載されているとおり、「スプーフィングの手法の一つとして、過去の衛星測位システムによる測位結果のデータを、現在の車両の位置データであるかのように偽装して使用する・・・場合、スプーフィング用の情報に含まれる時刻情報が現在時刻とは異なっている可能性がある。」ことを検出原理として、測位の結果として出力される時刻情報（第１時刻情報）と実際の現在時刻（第２時刻情報）との差が閾値以上の場合にスプーフィングが発生したと判定しているのに対し、引用発明ａでは、GNSS不正信号の発生器を使用する不正がある場合、「衛星とナビゲーション受信機との間の信号伝播時間」、すなわち、車両と各衛星との「各擬似距離測定値」（引用文献ａの[0019]参照。）が閾値より大きくなることを検出原理としているのである。
ウ　したがって、本願発明１と引用発明ａとでは、スプーフィングが発生したと判定するための原理が基本的に異なっているから、引用発明ａにおいて、上記相違点１に係る本願発明１の構成を採用することは、当業者といえども困難なことである。
エ　また、引用文献ｂには、上記相違点１に係る本願発明１の構成は、記載も示唆もされていない。
オ　以上のとおり、本願発明１は、当業者であっても、引用発明ａ及び引用文献ｂに基づいて容易に発明をすることができたものとはいえない。
２．本願発明２−３について
　本願発明２−３は、本願発明１と同じく、測位を行い「出力」された「前記第１時刻情報に示される時刻に同期し、現在時刻を示す第３時刻情報を出力するクロック部」を具備し、処理部が「前記第３時刻情報に示される時刻と、前記第２時刻情報に示される時刻との差」が閾値以上の場合にスプーフィングが発生したと判定する構成を備えているから、本願発明１について述べたのと同じ理由によって、当業者であっても、引用発明ａ及び引用文献ｂに基づいて容易に発明をすることができたものとはいえない。
３．本願発明４について
  本願発明４は、「現在時刻を示す第３時刻情報を出力するクロック部」を、測位を行い「出力」された「前記第１時刻情報に示される時刻に同期させる工程」と、「前記第３時刻情報に示される時刻と、前記第２時刻情報に示される時刻との差が閾値以上の場合にスプーフィングが発生したと判定する工程」とを備えているから、本願発明１と同様、測位の結果として出力される時刻情報（第１時刻情報）と実際の現在時刻（第２時刻情報）との差が閾値以上の場合にスプーフィングが発生したと判定するものである。したがって、本願発明１について述べたのと同様の理由によって、当業者であっても、引用発明ａ及び引用文献ｂに基づいて容易に発明をすることができたものとはいえない。
４．本願発明５−６について
　本願発明５−６は、本願発明４と同じく、「現在時刻を示す第３時刻情報を出力するクロック部」を、測位を行い「出力」された「前記第１時刻情報に示される時刻に同期させる工程」と、「前記第３時刻情報に示される時刻と、前記第２時刻情報に示される時刻との差が閾値以上の場合にスプーフィングが発生したと判定する工程」とを備えているから、本願発明４について述べたのと同じ理由によって、当業者であっても、引用発明ａ及び引用文献ｂに基づいて容易に発明をすることができたものとはいえない。
第７　原査定で引用された引用文献等
１．引用文献１について
　原査定の拒絶の理由に引用された引用文献１には、図面とともに、次の事項が記載されている（下線は、当審で付与した。）。
「【０００１】
  本発明は、無線放送を用いて放送源の時刻情報と位置情報を配信する移動端末の位置及び時刻認証装置、方法及びプログラムに関する。」
「【００１５】
  （第１の実施形態）
  図１は本発明の第１の実施形態に係る時刻及び位置認証装置を内蔵した移動端末の構成を示す模式図である。この
移動端末１０は、
内部時計１１、
受信部１４、
時刻／位置情報算出部１８、時刻情報比較検証部１９、時刻情報格納部２０、
電子ファイル生成部２５、
ディジタル署名生成部２７、署名付き電子ファイル格納部２８
を備えている。
【００１６】
  ここで、
内部時計１１は、
各放送源ｉの持つ時計と同期する高精度な時計であり、
放送源ｉとしては、ＧＰＳ衛星等の人工衛星
【００１７】
  内部時計更新時刻情報格納部１２は、管理センタにより更新記憶されるメモリであり、管理センタが内部時計１１を同期させた時刻を示す同期時刻情報及び有効期限を保持し、撮影毎に、同期時刻情報及び有効期限をそれぞれディジタル署名生成部２７及び署名付き電子ファイル格納部２８に送出する機能をもっている。
【００１８】
  耐タンパー性保証パラメータ格納部１３は、耐タンパー保護領域２９に設けられ、耐タンパー性保証パラメータを格納するものであり、耐タンパー保護領域２９に外部から不正操作が行われた場合、この不正操作を検知してただちに耐タンパー性保証パラメータをゼロ値にする機能をもっている。
【００１９】
  受信部１４は、外部の放送源から無線で送信される送信時刻情報、放送源位置情報、及び放送源固有の認証子を含む無線放送を受信して受信情報を生成する機能を有し、具体的には無線による標準放送と補正放送のための高感度受信回路から成る。
【００２０】
  ここで、
標準放送とは、例えばＧＰＳ測位衛星の送信情報
「【００２５】
  
時刻／位置情報算出部１８は、
標準放送の受信情報から、受信時刻を示す受信時刻情報と移動端末１０の位置情報を算出するものであり、受信時刻情報を時刻情報比較検証部１９に送出する機能
をもっている。
「【００３１】
  
時刻情報比較検証部１９は、時刻／位置情報算出部１８で標準放送から算出された受信時刻情報と時刻情報格納部２０が取得した内部時刻情報とを比較し、両者の差に基づいて、無線放送の再送の有無を判定するものであり、具体的には、２つの時刻の差分が予め設定した しきい値Δｔth以下であるか否かを検証する機能をもっている。
しきい値Δｔth以下の場合、無線放送の再送無しを意味し、しきい値Δｔthを超える場合、無線放送の再送有りを意味する。
【数２】
」
「【００３８】
  
時刻情報格納部２０は、
内部時計１１から時刻情報を取得・記憶するものであり、
「【００４５】
  
ディジタル署名生成部２７は、
時刻情報比較検証部１９による判定結果が再送無しを示す場合、内部時刻情報及び自装置の位置情報に基づいて、電子ファイルのデジタル署名を生成するものである。」
「【００６７】
  上述したように本実施形態によれば、無線で送信される送信時刻情報及び放送源位置情報に、放送源固有の認証子を付与し、この認証子に基づいて偽造の有無を判定することにより、偽造攻撃を阻止できる。さらに、
無線放送の受信時刻を示す受信時刻情報と、内部時計１１の内部時刻情報とを比較し、両者の差に基づいて再送の有無を判定することにより、再送攻撃を阻止できる。
【００６８】
  詳しくは、移動体通信に用いる移動端末１０に関して、放送等の一方向通信に含まれた時刻情報や位置情報を位置を固定することなく移動端末１０で取得する。偽造攻撃に対しては、送信情報に付加された放送源ｉ固有の認証子が正当か否か、あるいは放送源ｉ自身の位置情報と時刻情報が公開された正しい情報と一致するか否か、を検証して防止する。再送攻撃に対しては、移動端末１０の内部時計１１と送信情報に含まれた時刻情報との差分が設定されたしきい値以下であるか否かを検証して防止する。従って、移動端末１０の時刻情報と位置情報及び移動端末１０が生成する電子ファイルに付加された時刻情報と位置情報の正当性を技術的に保証することができる。また、ＧＰＳ等の放送型通信を利用して、電子ファイル生成を端末側で行い、端末を定位置に固定する必要がなくネットワーク接続の必要もない、偽りの位置情報を許さない安全な位置認証を実現することができる。」
「【００６９】
  （第２の実施形態）
  図６は本発明の第２の実施形態に係る時刻及び位置認証装置を内蔵した移動端末の構成を示す模式図であり、
図１と同一部分には同一符号を付してその詳しい説明を省略し、
明を省略する。
【００７０】
  本実施形態は、第１の実施形態の変形例であり、
移動端末１０ａとして、タクシー料金メータを用いた構成
　引用文献１の段落【００６９】には、（第２の実施形態）について「図１と同一部分には同一符号を付してその詳しい説明を省略し」と記載されていることから、図１に関する（第１の実施形態）の記載を踏まえると、引用文献１には、（第２の実施形態）として、次の発明（以下、「引用発明１」という。）が記載されているものと認められる。
「タクシー料金メータを用いた構成の移動端末１０ａであって（段落【００７０】より。以下、同様。）、
　移動端末１０ａは、内部時計１１、受信部１４、時刻／位置情報算出部１８、時刻情報比較検証部１９、時刻情報格納部２０、電子ファイル生成部２５、ディジタル署名生成部２７、署名付き電子ファイル格納部２８を備え（【００１５】）、
　内部時計１１は、各放送源ｉの持つ時計と同期する高精度な時計であり、放送源ｉとしては、ＧＰＳ衛星等の人工衛星（【００１６】）でよく、
　時刻／位置情報算出部１８は、標準放送（例えばＧＰＳ測位衛星の送信情報（【００２０】））の受信情報から、受信時刻を示す受信時刻情報と移動端末１０の位置情報を算出するものであり、受信時刻情報を時刻情報比較検証部１９に送出する機能をもっており（【００２５】）、
　時刻情報格納部２０は、内部時計１１から時刻情報を取得・記憶するものであり（【００３８】）、
　時刻情報比較検証部１９は、時刻／位置情報算出部１８で標準放送（例えばＧＰＳ測位衛星の送信情報（【００２０】））から算出された受信時刻情報と時刻情報格納部２０が取得した内部時刻情報とを比較し、両者の差に基づいて、無線放送の再送の有無を判定するものであり、具体的には、２つの時刻の差分が予め設定した しきい値Δｔth以下であるか否かを検証する機能をもっており、しきい値Δｔth以下の場合、無線放送の再送無しを意味し、しきい値Δｔthを超える場合、無線放送の再送有りを意味し（【００３１】）、
  ディジタル署名生成部２７は、時刻情報比較検証部１９による判定結果が再送無しを示す場合、内部時刻情報及び自装置の位置情報に基づいて、電子ファイルのデジタル署名を生成するものであり（【００４５】）、
　無線放送の受信時刻を示す受信時刻情報と、内部時計１１の内部時刻情報とを比較し、両者の差に基づいて再送の有無を判定することにより、再送攻撃を阻止できる（【００６７】）、
　移動端末１０ａ（【００７０】）。」
２．引用文献２について
　引用文献２には、上記「第５」「２．」に記載したとおりの事項が記載されている。
３．引用文献３について
　原査定の拒絶の理由に引用された引用文献２には、次の事項が記載されている。
「【０００３】かなり弱いＧＰＳ信号状況では、ＧＰＳ受信機はそれ自身ではＧＰＳ時間を決定することができない。こうした状況では、位置決定を実行するためには
正確なＧＰＳ時間が回復
時間回復の実行においてＧＰＳ受信機を援助する方法は数多く存在し、その１つに、ＧＳＭネットワークなどのセルラネットワークから正確なＧＰＳ時間を配信するというものがある。
第８　原査定の拒絶の理由について
１．本願発明１について
（１）対比
　本願発明１と引用発明１とを対比する。
ア　引用発明１における「時刻／位置情報算出部１８」は、「標準放送（例えばＧＰＳ測位衛星の送信情報（【００２０】））の受信情報から、受信時刻を示す受信時刻情報と移動端末１０の位置情報を算出する」から、本願発明１における「人工衛星から受信した衛星信号に基づいて測位を行い、現在時刻を示す第１時刻情報を出力する衛星情報取得部」に相当する。
イ　また、引用発明１における「時刻／位置情報算出部１８」は、「受信時刻情報を時刻情報比較検証部１９に送出する機能をもって」いるから、本願発明１における「前記第１時刻情報に示される時刻に同期し、現在時刻を示す第３時刻情報を出力するクロック部」とは、「前記第１時刻情報に示される時刻を用いて第３時刻情報を出力する時刻情報出力部」の点で共通する。
ウ　引用発明１における「時刻情報格納部２０」及び「時刻情報比較検証部１９」は、「時刻情報格納部２０」が「内部時計１１から時刻情報を取得」し、「時刻情報比較検証部１９」が「時刻／位置情報算出部１８で標準放送（例えばＧＰＳ測位衛星の送信情報）から算出された受信時刻情報と時刻情報格納部２０が取得した内部時刻情報とを比較し、両者の差に基づいて、無線放送の再送の有無を判定する」ものであり、「具体的には、２つの時刻の差分が予め設定した しきい値Δｔth以下であるか否かを検証する機能をもっており、しきい値Δｔth以下の場合、無線放送の再送無し」と「判定」し、「しきい値Δｔthを超える場合、無線放送の再送有り」と「判定」するものであるから、本願発明１における「前記衛星信号とは異なる無線信号に含まれる第２時刻情報を取得し、前記第３時刻情報に示される時刻と、前記第２時刻情報に示される時刻との差が閾値以上の場合にスプーフィングが発生したと判定する処理部」とは、「第２時刻情報を取得し、前記第３時刻情報に示される時刻と、前記第２時刻情報に示される時刻との差が閾値以上の場合にスプーフィングが発生したと判定する処理部」の点で共通する。
エ　引用発明１における「タクシー料金メータを用いた構成の移動端末１０ａ」が、本願発明１における「車載器」に相当する。
　よって、本願発明１と引用発明１との間には、次の一致点、相違点があるといえる。
（一致点）
「人工衛星から受信した衛星信号に基づいて測位を行い、現在時刻を示す第１時刻情報を出力する衛星情報取得部と、
　前記第１時刻情報に示される時刻を用いて第３時刻情報を出力する時刻情報出力部と、
　第２時刻情報を取得し、前記第３時刻情報に示される時刻と、前記第２時刻情報に示される時刻との差が閾値以上の場合にスプーフィングが発生したと判定する処理部と
　を具備する車載器。」
（相違点２）
　本願発明１は、「前記第１時刻情報に示される時刻に同期し、現在時刻を示す第３時刻情報を出力するクロック部」を具備しているのに対し、引用発明１では、そのような「クロック部」を具備しておらず、「時刻／位置情報算出部１８」は、「受信時刻情報」をそのまま「時刻情報比較検証部１９に送出」している点。
（相違点３）
　本願発明１では、「処理部」が、「前記衛星信号とは異なる無線信号に含まれる」時刻情報である「第２時刻情報」を取得しているのに対し、引用発明１では「時刻情報格納部２０」が「内部時計１１から時刻情報を取得」している点。
（２）判断
（理由１について）
　本願発明１と引用発明１とは、上記相違点２及び相違点３の点で相違するから、本願発明１は、引用発明１と同一発明ではない。
（理由２について）
　事案に鑑みて、まず、上記相違点３について検討する。
ア　引用文献２には、「時刻情報」を「ＧＰＳ受信機を備えること」あるいは「路側機に時計の機能を備えること」により取得することもできることが記載されている。
　また、引用文献３には、「正確なＧＰＳ時間」の「回復」のため、「ＧＳＭネットワークなどのセルラネットワークから正確なＧＰＳ時間を配信する」ことが記載されている。
イ　しかし、上記引用文献２、３に記載された技術は、「ＧＰＳ」の代わりに「路側機」や「ＧＳＭネットワークなどのセルラネットワーク」から時刻情報を取得することを示しているに過ぎないから、引用発明１に上記引用文献２、３に記載された技術を適用しても、引用発明１における「ＧＰＳ測位衛星」が「路側機」や「ＧＳＭネットワークなどのセルラネットワーク」に代替されるだけであって、「内部時計１１」に代えて「路側機」や「ＧＳＭネットワークなどのセルラネットワーク」から「時刻情報を取得」する構成（本願発明１でいう、「前記衛星信号とは異なる無線信号に含まれる」「第２時刻情報」を取得する構成）とはならない。
ウ　また、引用文献１の段落【００１６】に「ここで、内部時計１１は、耐タンパー保護領域２９内で動作し、・・・不正操作を検知すると直ちに正常動作を停止する機能をもっている。」と記載されているとおり、引用発明１における「内部時計１１」は、不正操作を極力排除すべきものとして採用されたものであるから、該「内部時計１１」を、不正操作の可能性を高めてまで「路側機」や「ＧＳＭネットワークなどのセルラネットワーク」に代替することは、当業者に動機付けられないことである。
エ　したがって、上記相違点２について判断するまでもなく、本願発明１は、当業者であっても、引用発明１及び引用文献２、３に基づいて容易に発明をすることができたものとはいえない。
２．本願発明２−３について
　本願発明２−３は、本願発明１と同じく、「処理部」が、「前記衛星信号とは異なる無線信号に含まれる」時刻情報である「第２時刻情報」を取得する構成を備えているから、本願発明１について述べたのと同じ理由によって、当業者であっても、引用発明１及び引用文献２、３に基づいて容易に発明をすることができたものとはいえない。
３．本願発明４について
（理由１について）
　本願発明４は、上記相違点２及び相違点３に係る本願発明１の構成と同様な、「現在時刻を示す第３時刻情報を出力するクロック部を前記第１時刻情報に示される時刻に同期させる工程」と「前記衛星信号とは異なる無線信号に含まれる第２時刻情報を取得する工程」を備えているから、本願発明４は、引用発明１と同一発明ではない。
（理由２について）
　本願発明４は、「前記衛星信号とは異なる無線信号に含まれる第２時刻情報を取得する工程」を備えており、本願発明１と同様に「前記衛星信号とは異なる無線信号に含まれる」時刻情報である「第２時刻情報」を取得するものであるから、本願発明１について述べたのと同様の理由によって、当業者であっても、引用発明１及び引用文献２、３に基づいて容易に発明をすることができたものとはいえない。
４．本願発明５−６について
　本願発明５−６は、本願発明４と同じく、「前記衛星信号とは異なる無線信号に含まれる第２時刻情報を取得する工程」を備えているから、本願発明４について述べたのと同じ理由によって、当業者であっても、引用発明１及び引用文献２、３に基づいて容易に発明をすることができたものとはいえない。
５．まとめ
　本願発明１、４は、引用発明１と同一発明ではない。
　また、本願発明１−６は、当業者であっても、引用発明１及び引用文献２、３に基づいて容易に発明をすることができたものとはいえない。
　したがって、原査定を維持することはできない。
第９　むすび
　以上のとおり、原査定の理由によっては、本願を拒絶することはできない。
　また、他に本願を拒絶すべき理由を発見しない。
　よって、結論のとおり審決する。